(57)【要約】【課題】  くじ部分等の隠蔽情報を設けた場合にも、その大量製造時の機械封入によるロスを無くして製造工程の短縮が可能な隠蔽情報付き封筒を提供する。【解決手段】  封筒の外面２上の説明部９を囲むようにミシン目７が設けられた封筒を受け取った場合（ａ）、顧客は、ミシン目を切り、説明部９を開いて、封筒内部の隠蔽情報を出現させる（ｂ）。例えば、隠蔽情報としてくじの当りの情報を印刷しておき、説明部９に、その裏にくじに関する情報が印刷されている旨を印刷しておくことにより、顧客は、くじが存在することを認識することができる。【選択図】  図３
2005126098.tif 000002
【特許請求の範囲】
【請求項１】
封筒外面の一部の領域を囲むようにミシン目が形成されており、当該ミシン目により囲まれた領域に対応する位置の封筒内部の紙片に、前記ミシン目により囲まれた領域により隠蔽された情報である隠蔽情報が印刷されていることを特徴とする隠蔽情報付き封筒。
【請求項２】
前記ミシン目は、一部が不連続となっており、前記一部の領域を閉領域として囲んでいないことを特徴とする請求項１に記載の隠蔽情報付き封筒。
【請求項３】
第１紙片、第２紙片、第３紙片が折り線を介して連接されており、前記第２紙片には隠蔽情報が印刷されており、前記第３紙片には、当該第３紙片上の一部の領域を囲むようにミシン目が形成されており、前記折り線から折り畳むことにより、第２紙片を封筒内部に封入することにより前記封筒を形成することを特徴とする請求項１または請求項２に記載の隠蔽情報付き封筒。
【請求項４】
前記隠蔽情報は、くじに関する「当り」、「はずれ」、「等賞」、または具体的な商品名を示す情報であることを特徴とする請求項１から請求項３のいずれかに記載の隠蔽情報付き封筒。
【発明の詳細な説明】
【技術分野】
【０００１】
本発明は、ダイレクトメール等に用いられる封筒に関し、特に、くじ等の隠蔽された情報が付加された封筒に関する。
【背景技術】
【０００２】
従来より、販売促進のために商品やサービスに関する広告を封筒内に封入してダイレクトメールとして郵送されることが行われている。近年では、一人の顧客に送付されるダイレクトメールの数が多いため、顧客に興味をもってもらうためにダイレクトメールにも様々な工夫が凝らされている。その一つがくじ付の封筒を利用したダイレクトメールである（例えば、特許文献１参照）。
【特許文献１】特開平９−５８６９５号公報
【発明の開示】
【発明が解決しようとする課題】
【０００３】
上記従来のくじ付き封筒では、目隠し用のラベルが必要となるため、このラベルを貼付するという手間があった。また、大量に製作する場合、封入封緘機を使用するが、封筒に、ラベル以外の貼付物がある場合には、機械による対応が難しい場合も存在した。また、くじ部分の隠蔽をスクラッチ加工で行った場合には、製造もしくは郵送途中でこすれ落ちたり、そのカス自体が郵便局の区分け機などに悪影響を及ぼす可能性があった。
【０００４】
上記のような点に鑑み、本発明は、くじ部分等の隠蔽情報を設けた場合にも、その大量製造時の機械封入によるロスを無くして製造工程の短縮が可能な隠蔽情報付き封筒を提供することを課題とする。
【課題を解決するための手段】
【０００５】
上記課題を解決するため、本発明では、隠蔽情報付き封筒を、封筒外面の一部の領域を囲むようにミシン目が形成されており、当該ミシン目により囲まれた領域に対応する位置の封筒内部の紙片に、前記ミシン目により囲まれた領域により隠蔽された情報である隠蔽情報が印刷された構成とすることを特徴とする。
【発明の効果】
【０００６】
本発明の隠蔽情報付き封筒によれば、封筒内部の隠蔽情報に対応する外面の一部の領域を囲むようにミシン目を設けたので、ラベル貼付やスクラッチ加工により隠蔽情報を隠蔽する場合に比べて、大量製造時の機械封入によるロスを無くして製造工程の短縮が可能となるという効果を奏する。
【発明を実施するための最良の形態】
【０００７】
以下、本発明の好適な実施形態について図面を参照して詳細に説明する。
（封筒の製造工程）
まず、本発明に係る隠蔽情報付き封筒を製造する工程について説明する。図１（ａ）は、本発明に係る隠蔽情報付き封筒を展開した状態を示す図である。図１中、１は第１紙片、２は第２紙片、３は第３紙片、４は上側蓋部、５、６は左右側蓋部、７はミシン目、８は隠蔽情報印刷部、９は説明部、Ａ〜Ｅは折り線である。図１（ａ）において、第１紙片１は、封筒の表側となる部分であり、住所・氏名等の宛先が印刷されている。第２紙片２は、封筒の裏側となる部分であり、その表面にはミシン目７が設けられている。本実施形態では、ミシン目が三本の線分として形成されており、各ミシン目により囲まれた領域には、説明部９が設けられている。第３紙片３は、封筒の内部に封入される紙片であり、その表面には隠蔽情報印刷部８が設けられている。第３紙片３の隠蔽情報印刷部８以外の部分、すなわち、図中第３紙片３上において網掛けを施していない部分には、全面に渡って接着糊が塗布されている。また、上側蓋部４、左右側蓋部５、６にも、それぞれ全面に渡って接着糊が塗布されている。図１（ａ）に示した展開形状は、封筒作成用の用紙に、宛名や広告情報、隠蔽情報印刷部８の隠蔽情報等、各種情報が印刷された後、ミシン目７の加工、接着糊塗布が行われ、型抜きすることにより得られる。
【０００８】
図１（ａ）に示した展開形状が得られたら、次に、折り線Ａを、図１（ａ）に示した状態で谷折りする。折り線Ａを谷折りして、第２紙片２と第３紙片３を折り畳むことにより、第３紙片３の隠蔽情報印刷部８以外の部分に塗布された接着糊が第２紙片２に接着される。この結果、第２紙片２と第３紙片３が接着され、本封筒は、図１（ｂ）に示すような状態となる。図１（ｂ）においては、第２紙片２が第３紙片３の向こう側に位置した状態となっている。
【０００９】
さらに、図１（ｂ）に示した状態の封筒において、折り線Ｂを谷折りする。この結果、封筒は図２（ａ）に示すような状態となる。続いて、図２（ａ）に示すような状態から、折り線Ｄ、Ｅを谷折りして左右側蓋部５、６を第２紙片２と接着する。次に、図２（ｂ）に示した状態から、折り線Ｃを谷折りする。これにより、第２紙片２と上側蓋部４が接着されることになる。以上のようにして封筒が完成する。
【００１０】
（封筒の使用）
続いて、完成した封筒の利用について説明する。図３（ａ）に示したような完成した封筒は、ダイレクトメールとして顧客に郵送される。顧客は、自分に届いた封筒を開封して中身を見ることになる。本発明の封筒では、裏側に位置する第２紙片のほぼ中央の目立つ場所にミシン目が設けられており、３本のミシン目で囲まれた説明部９には、「このミシン目から切り取って下さい。当りが出たら…」等のミシン目７の切り取りを促す文言が印刷されている。このため、顧客は、まず、この文言とミシン目７に気付き、ミシン目７を切り取って隠蔽情報印刷部８に印刷された隠蔽情報を見ることになる。ミシン目７を切り取って隠蔽情報印刷部８を出現させた状態を図３（ｂ）に示す。図３（ｂ）に示すように、ミシン目７を切り取って、説明部９を開くことにより、隠蔽情報印刷部８が出現する。隠蔽情報を「くじ」として利用する場合は、隠蔽情報印刷部８に、隠蔽情報として「当り」「はずれ」「１等」「２等」、または賞品となる具体的な商品名などを印刷しておく。この場合、顧客は、ミシン目を切り取ることにより、くじの結果がわかることになる。なお、説明部９は、必ずしも、ミシン目に囲まれた領域に設けておく必要はなく、第２紙片２上の他の位置に設けておいても良い。
【００１１】
以上、本発明の好適な実施形態について説明したが、本発明は、上記実施形態に限定されず種々の変形を行なうことが可能である。例えば、上記実施形態では、隠蔽情報を「くじ」として利用したが、その他顧客の興味を惹く情報であっても良い。
【図面の簡単な説明】
【００１２】
【図１】本発明に係る隠蔽情報付き封筒の製造工程における状態を示す図である。
【図２】本発明に係る隠蔽情報付き封筒の製造工程における状態から完成状態を示す図である。
【図３】本発明に係る隠蔽情報付き封筒の使用状態を示す図である。
【符号の説明】
【００１３】
１・・・第１紙片
２・・・第２紙片
３・・・第３紙片
４・・・上側蓋部
５、６・・・左右側蓋部
７・・・ミシン目
８・・・隠蔽情報印刷部
Ａ〜Ｅ・・・折り線
【図１】
2005126098.tif 000003
【図２】
2005126098.tif 000004
【図３】
2005126098.tif 000005